(57)【要約】【課題】  情報の流出を防止し、かつ、消去時間を短縮したハードディスク情報消去方法を提供すること。【解決手段】本発明に係るハードディスク情報消去方法は、パソコンの設置場所でパソコンのハードディスクの先頭領域を完全消去するとともにデータ領域を部分消去する第１のステップと、パソコンの設置場所でハードディスクの全領域を完全に消去する完全消去プログラをムをハードディスクのマスターブートレコードにインストールする第２のステップと、リサイクルセンターに運び込んだパソコンに電源を投入し完全消去プログラムを自動実行させてハードディスクを完全消去処理を実行する第３のステップとからなるものである。【選択図】図２
2008083948.tif 000002
【特許請求の範囲】
【請求項１】
パソコンのハードディスクの先頭領域を完全消去するとともにデータ領域を部分消去する第１のステップと、
ハードディスクの全領域を完全に消去する完全消去プログラをムをハードディスクのマスターブートレコードにインストールする第２のステップと、
リサイクルセンターに運び込んだパソコンに電源を投入し完全消去プログラムを自動実行させてハードディスクを完全消去処理を実行する第３のステップと、  完全消去処理が終了後完全消去プログラム自身も消去する第４のステップとからなるハードディスク情報消去方法。
【請求項２】
部分消去処理または完全消去処理は、特殊なデータを書き込むことにより消去するものであることを特徴とする請求項１記載のハードディスク情報消去方法。
【請求項３】
ハードディスクの先頭部分を完全消去するとともにデータ領域部分を部分消去できる部分消去プログラムと、ハードディスクの全領域を完全に消去できる完全消去プログラムと、完全消去プログラムをマスターブートレコード領域に格納するインストールプログラムと、これらプログラムの動作をコントロールする制御プログラムとからなることを特徴とするハードディスク情報消去プログラム。
【請求項４】
前記部分消去プログラムと、前記完全消去プログラムと、完全消去プログラムをマスターブートレコード領域に格納するインストールプログラムと、これらプログラムの動作をコントロールする制御プログラムとは、パソコン販売時に予めインストールされているか、あるいは、パソコン使用場所でインストールすることを特徴とする請求項３記載のハードディスク情報消去プログラム。
【発明の詳細な説明】
【技術分野】
【０００１】
本発明は、ハードディスク装置を備えたコンピュータを廃棄等するときに、ハードディスクから情報が漏洩するのを防止するとともに、ハードディスク内のデータを完全に消去できるハードディスク情報消去方法、およびそのプログラムに関するものである。
【背景技術】
【０００２】
現在では、パーソナルコンピュータ（以下「パソコン」という）には、大容量の記憶容量を持つハードディスクが内蔵されており、通常の業務では、このハードディスク内には、オペレーティングシステム（以下「ＯＳ」という）、アプリケーションプログラムはもちろんのこと、パソコンを使って業務を行ったことにより作成された各種データ等も格納している。
このときに、ハードディスクは、目次に相当する部分と、本文に相当する部分とに分かれており、目次に相当する部分にはデーダがハードディスクのどの部分に記憶されているかが記録されおり、本文に相当する部分にはデータ領域の所定の領域に記憶されている。
【０００３】
このようなパソコンを廃棄するときには、通常、消去の操作をして前記各種データを消去している。しかしながら、この消去の方法は、ハードディスクのいわゆる目次にあたる部分を消去しているだけであるため、確かにＯＳ上からはファイルが消えたように見えるが、実際にはデータ領域にはデータがそのままの形で残っている。それゆえ、ファイル復元ソフトを使えば消したはずのデータが読み出されてしまい、場合によっては復元データが悪用されてしまうという恐れがある。
【０００４】
そこで、廃棄業者等は、次に述べる二つの方法のいずれかでハードディスクのデータを完全に消去し、その後にリサイクルするようにしている。
第１の方法は、パソコンを引き取ると、一旦リサイクルセンターへ運び込み、専用の消去プログラム（例えば特許文献１）をパソコンにインストールし、これを実行させることによりハードディスクの消去を行うという方法である。
第２の方法は、パソコンが設置されている場所で、上記専用の消去プログラムをインストールし、これを実行させることにより完全消去し、その後にリサイクルセンター等に搬入するという方法である。
【特許文献１】特開平２００３−３０８０１号公報
【発明の開示】
【発明が解決しようとする課題】
【０００５】
しかしながら、従来の上記第１の方法では、パソコンをリサイクルセンターまでの輸送中あるいはリサイクルセンターに保管中に盗難、紛失などがあったときに、パソコンから情報が流出してしまう恐れがあった。
また、上記従来の第２の方法では、ハードディスクのデータ領域に無意味なデータを書き込むことによりパソコンのハードディスクのデータ領域を消去するという方法をとるものであるため、非常に時間がかかり、１台づつ消去するのでは消去に多大な時間がかかってしまって作業効率が悪いとう不都合があるほか、作業場所が確保できないため、同時に多量のパソコンのデータ消去作業ができないという不都合があった。
本発明は、上述した不都合を解消し、情報の流出を防止し、かつ、消去時間を短縮したハードディスク情報消去方法およびそのプログラムを提供することを目的とする。
【課題を解決するための手段】
【０００６】
上記目的を達成するために、請求項１記載の発明に係るハードディスク情報消去方法は、パソコンのハードディスクの先頭領域を完全消去するとともにデータ領域を部分消去する第１のステップと、ハードディスクの全領域を完全に消去する完全消去プログラをムをハードディスクのマスターブートレコードにインストールする第２のステップと、リサイクルセンターに運び込んだパソコンに電源を投入し完全消去プログラムを自動実行させてハードディスクを完全消去処理を実行する第３のステップとからなるものである。
請求項２記載の発明に係るハードディスク情報消去方法では、請求項１記載のハードディスク情報消去方法において、部分消去処理または完全消去処理は、特殊なデータを書き込むことにより消去するものであることを特徴とするものである。
上記目的を達成するために、請求項３記載の発明に係るハードディスク情報消去プログラムは、ハードディスクの先頭部分を完全消去するとともにデータ領域部分を部分消去できる消去プログラムと、ハードディスクの全領域を完全に消去できる完全消去プログラムと、完全消去プログラムをマスターブートレコード領域に格納するインストールプログラムと、これらプログラムの動作をコントロールする制御プログラムとからなることを特徴とするものである。
請求項４記載の発明では、請求項３記載のハードディスク情報消去プログラムにおいて、前記部分消去プログラムと、前記完全消去プログラムと、完全消去プログラムをマスターブートレコード領域に格納するインストールプログラムと、これらプログラムの動作をコントロールする制御プログラムとは、パソコン販売時に予めインストールされているか、あるいは、パソコン使用場所でインストールすることを特徴とするものである。
【発明の効果】
【０００７】
本発明によれば、上述したように構成したので、次のような効果がある。
（１）本発明では、ハードディスクの先頭部分を消去し、データ本体が保存されている領域を部分的に消去するようにしたので、非常に短い時間でハードディスクのデータを消去できる。
（２）本発明では、データ本体が保存されている所定の領域に特殊なデータを書き込んでいるため、データ復元ソフトでデータを復元しようとしても復元不可能であって、データの安全性を保つことができる。
（３）本発明では、当初データ本体を消去するときに、まず、パソコン設置場所で消去プログラムをハードディスクの所定の領域にインストールするとともに、このプログラムを実行してデータ領域の所定の領域を荒く消去し、リサイクルセンターなどへパソコンを運び込み、パソコンの電源を入れると、その消去プログラムが実行されてデータ領域の全てを消去するので、作業効率が非常に高いという利点がある。
【発明を実施するための最良の形態】
【０００８】
以下、本発明を実施するための最良の形態について説明する。
図１は、本発明の実施形態に係るハードディスク情報消去方法の概要を説明するための図である。
本発明の実施形態に係るハードディスク情報消去方法１は、図１に示すように、パソコン設置場所３において、パソコン５のハードディスクの先頭領域全ての消去とデータ領域を本発明の実施形態に係るハードディスク情報消去プログラムで所定の消去方式で部分消去するとともに当該ハードディスク情報消去プログラムをハードディスクの先頭領域（マスターブートレコード）に書き込む第１のステップ（ＳＴ１）と、第１のステップ終了後にパソコンをリサイクルセンター７に搬送する第２のステップ（ＳＴ２）と、当該リサイクルセンター７において、パソコン５の電源を投入して当該ハードディスク情報消去プログラムをパソコン５に実行させてハードディスクの全ての領域を消去させるとともにハードディスク情報消去プログラム自身も消去する第３のステップから構成されている。なお、ここでは、消去とは、例えば「ｈ００」または「ｈＦＦ」などの意味のないデータをハードディスクのデータ領域に書き込むことをいうものとする。
【０００９】
次に、図２移行の図面を使って上記動作の詳細を説明する。ここに、図２は、本発明の実施形態に係るハードディスク情報消去方法を説明するための図であって、図２（ａ）はパソコンにハードディスク情報消去プログラムをインストールして実行させる図、図２（ｂ）はハードディスク情報消去プログラムが実行されて表示されるメニュー画面、図２（ｃ）はハードディスク情報消去プログラムが実行されハードディスクのデータ領域の説明図、図２（ｄ）はリサイクルセンターに運び込まれてハードディスク情報消去プログラムが実行されて表示される画面、図２（ｆ）はハードディスク情報消去プログラムが実行されてハードディスクが完全消去された状態図である。
【００１０】
図３は、本発明の実施形態に係るハードディスク情報消去方法の概要を説明するためのフローチャートである。図４は、本発明の実施形態に係るハードディスク情報消去方法であって、パソコン設置場所でのパソコンの処理動作を説明するためのフローチャートである。図５は、本発明の実施形態に係るハードディスク情報消去方法であって、パソコンをリサイクルセンターなどでのパソコンの処理動作を説明するためのフローチャートである。図６は、本発明の実施形態に係るハードディスク情報消去方法であって、パソコンをリサイクルセンターなどでのパソコンの他の処理動作を説明するためのフローチャートである。図７は、本発明の実施形態に係るハードディスク情報消去方法によりパソコン設置場所でパソコンのハードディスクが消去された状態を示す図である。図８は、本発明の実施形態に係るハードディスク情報消去プログラムが提供できるサービスを示す図である。
【００１１】
ハードディスク情報消去プログラムが格納されたフレキシブルディスク９をパソコン５のフレキシブルディスクドライブに挿入し、電源を投入する（図２（ａ））。すると、パソコン５が起動してフレキシブルディスクドライブに挿入されているフレキシブルディスク９からハードディスク情報消去プログラムがメインメモリに複写されて、これが実行されることによりディスプレイ装置上に図２（ｂ）に示すようなメニュー画面１００が表示される。メニュー画面１００からハードディスク情報消去プログラムを選択して実行する。すると、図２（ｃ）に示すように、ハードディスク５０の先頭部分５００が消去され、また、一定の方式でデータ領域にダミーデータＤＤが書き込まれ、かつ、ハードディスク５０情報消去プログラムの内の完全消去プログラムＳＰがハードディスクの先頭部分（マスターブートレコード）にインストールされる（図２（ｃ））。その状態でリサイクルセンター７に搬入される。
【００１２】
リサイクルセンター７では、パソコン５に電源供給可能にしてパソコン５の電源スイッチを投入する（図２（ｄ））。すると、パソコン５では、ハードディスクに先頭場所（マスターブートレコード）にインストールされているハードディスク情報消去プログラムの完全消去プログラムＳＰが読み出されメインメモリに展開されて当該ハードディスク情報消去プログラムの完全消去プログラムＳＰが実行される。これにより、パソコン５のディスプレイ装置上にメニュー画面１１０（図２（ｆ））が表示されるので、消去方法を選択してハードディスク情報消去プログラムの完全消去プログラムＳＰを実行させる（図２（ｅ））。すると、パソコン５のハードディスクは、図２（ｇ）に示すように、ハードディスク情報消去プログラムの完全消去プログラムＳＰも含めて完全に消去された状態になる（すなわち、ハードディスク５０の全ての領域が消去されたことになる）。
【００１３】
図２（ａ）〜図２（ｃ）までの動作は、図３のステップ（Ｓ）１００，Ｓ１１０，Ｓ１２０）および図４に示すフローチャートの動作が相当する。また、図２（ｄ）〜図２（ｇ）までの動作は、図３のＳ３００，Ｓ３２０，Ｓ３４０および図５，図６が相当する。
まず、本発明の実施形態に係るハードディスク情報消去方法におけるパソコンの処理には、図３に示すように、第１段階の処理（Ｓ１００，Ｓ１１０，Ｓ１２０）と、第２の段階の処理（Ｓ３００，Ｓ３２０，Ｓ３４０）とからなる。
まず、図２（ａ）〜図２（ｃ）は、図３の第１段階の処理（Ｓ１００〜Ｓ１３０）で実現している。図３の第１段階の処理は、ハードディスクを部分消去を行う処理（Ｓ１００）と、ハードディスクの先頭領域にハードディスク情報消去プログラムをインストールする処理（Ｓ１２０）と、終了（電源オフ）にする処理（Ｓ１２０）とからなる。
【００１４】
また、図２（ｄ）〜図２（ｆ）は図３の第２段階の処理（Ｓ３００，Ｓ３２０，Ｓ３４０）で実現している。図３の第２段階の処理は、ハードディスク５０からたハードディスク情報消去プログラムを読み出しメインメモリに展開しこれを実行する処理（Ｓ３００）と、前記処理を終了後にハードディスク５０に格納されているハードディスク情報消去プログラム自身を削除する処理（Ｓ３４０）と、完全消去終了とする処理（Ｓ３３０）とからなる。
なお、ステップ２００は、パソコン５の設置場所からリサイクルセンター７に搬送するステップである。
【００１５】
次に、図３の第１段階の処理の詳細を図４を参照しながら説明をする。この図４は、パソコン５において処理されている内容を示したものである。
パソコン５では、電源が投入されると、まず、イニシャルローダが実行され（Ｓ１０１）、フロッピディスクドライブにフロッピディスクが挿入されているか否かが検出される（Ｓ１０２）。
パソコン５によってフロッピディスクドライブにフレキシブルディスク９が挿入されていないと判断されると（Ｓ１０２；ＮＯ）、エラー終了となる（Ｓ１０３）。一方、パソコン５によってフロッピディスクドライブにフレキシブルディスク９が挿入されていると判断されると（Ｓ１０２；ＹＥＳ）、ハードディスク情報消去プログラムの部分消去プログラムが実行される（Ｓ１０４）。
【００１６】
ここで、書き込みエラーが発生したかパソコン５によって判断される（Ｓ１０５）。もし、パソコン５により書き込みエラーが発生したと判断されると（Ｓ１０５；発生）、エラーフラッグを設定し（Ｓ１０６）、次のステップに移動する。
一方、書き込みエラーが発生していない場合（Ｓ１０５；発生なし）、最終ドライブか否かの判断がされる（Ｓ１０７）。これは、パソコン５の内部に複数のハードディスクを備えている場合があり、その場合に、全てのハードディスク５０，５０，…を消去する必要があるからである。
【００１７】
Ｓ１０５，Ｓ１０６の処理が終了後、パソコン５では、最終ドライブか否かの判断がされる（Ｓ１０７）。最終ドライブではないとパソコン５で判断されると（Ｓ１０７；最終ドライブではない）、消去先を次のハードディスク５０に設定し（Ｓ１０８）、再び、部分消去の処理を実行する（Ｓ１０４）。
一方、最終ドライブとパソコン５で判断されると（Ｓ１０７；最終ドライブ）、ハードディスク情報消去プログラムのうちの完全消去プログラムをハードディスク５０の先頭領域（マスターブートレコード）に書き込む処理を実行する（Ｓ１１０）。これにより、図７に示すように、ハードディスク５０の先頭部分（マスターブートレコードを含む管理領域）５００が消去されるとともに、ハードディスク５０のデータ領域５１０にダミーデータＤＤ（例えば「ｈ００」、「ｈＦＦ」（ｈは１６進を表す））が部分的に一定間隔で書き込まれ、さらに、マスターブートレコード（MBR）に、ハードディスク情報消去プログラムのうちの完全消去プログラムＳＰが書き込まれる。
【００１８】
ここで、ハードディスクのマスターブートレコードは、パソコン５の起動時に最初に読み込まれるハードディスク上のセクタであって、ハードディスクの先頭に置かれていて、ハードディスク内に収められたどの完全消去プログラムをどのように起動するかなどの情報が記録されたものである。パソコンを起動するとまずＭＢＲが読み込まれ、ブートローダプログラムが動作する。、ブートローダはパーティション(ハードディスク内の領域)の位置や大きさなどを記録したパーティションテーブルを読み込み、起動するパーティションのブートセクタ領域を読み込むことになる。ブートセクタに置かれたプログラムは、そのパーティションに置かれた完全消去プログラムを起動するものである。
【００１９】
上記Ｓ１００〜Ｓ１１３の処理が終了した後に、パソコン５をリサイクルセンター７に運び込む（Ｓ２００）。その後、図５及び図６の処理を実行する。
ここで、図５および図６を参照しながら図３の第２段階の処理の詳細を説明をすることにする。図５は、図３の第２段階の完全消去プログラムの起動処理（Ｓ３００）の詳細を説明するものである。図６は、図３の第２段階の消去終了後の完全消去プログラム自身を削除する処理（Ｓ３２０）の詳細を説明するものである。
【００２０】
まず、リサイクルセンター７に運び込んだパソコン５を電源に接続し、電源を投入してパソコン５を起動する（Ｓ３０１）。パソコン５は、電源が投入されると、ハードディスク５０のブートセクターを読み込む（Ｓ３０２）。これにより、パソコン５は、ハードディスク５０のマスターブートレコードにある完全消去プログラムを読み込みメインメモリに展開して完全消去プログラムを実行する（Ｓ３０３）。パソコン５は、ハードディスクからの完全消去プログラムの読み込みエラーが発生しているか否かを判定する（Ｓ３０２）。パソコン５は、読み込みエラーが発生していると判断すると（Ｓ３０２；発生）、エラー終了とする（Ｓ３０５）。
【００２１】
また、パソコン５は、読み込みエラーが発生していないと判断されると（ＳＬ３０４；未発生）、消去先ハードディスクおよび消去領域の検出（完全消去プログラム格納領域を除いた全領域の検出）する（Ｓ３０６  ）。
また、パソコン５では、消去先を１台目のハードディスク５０に設定し、完全消去プログラムを実行する（Ｓ３０７）。パソコン５では、ハードディスク５０の完全消去（意味のないデータを書き込む）を実行する（Ｓ３０８）。パソコン５は、ハードディスク５０への意味のないデータを書き込みに、書き込みエラーが発生しているかを監視する（Ｓ３０９）。パソコン５は、書き込みエラーがあると判断されると（Ｓ３０９；発生）、エラーフラッグを設定し（Ｓ３１０）、次のステップ（Ｓ３１１）に移行する。
【００２２】
また、パソコン５は、書き込みエラーがないと判断されると（Ｓ３０９；未発生）、次のステップ（Ｓ３１１）に移行する。
パソコン５は、Ｓ３１１において、最終ドライブかを判断する。パソコン５は、最終ドライブではないと判断すると（Ｓ３１１；最終ドライブではない）、消去先を次のドライブに設定し（Ｓ３１２）、次のドライブであるハードディスク５０の消去を実行する（Ｓ３０８）。
移行、パソコン５は、全てのドライブが終了するまで、Ｓ３０８〜Ｓ３１２を実行する。
【００２３】
次に、図６のフローチャートに移り、完全消去が正常に終了したとすると（Ｓ３１３）、図３の第２段階の完全消去プログラム自身の削除の処理に移行する（Ｓ３２０）。
まず、パソコン５は、消去先を１台目のハードディスクに設定する（Ｓ３２１）。次に、パソコン５は、ハードディスク上の完全消去プログラムを消去する処理（意味のないデータを書き込む処理）をする（Ｓ３２２）。パソコン５は、書き込みエラーが発生したか否かを監視する（Ｓ３２３）。
【００２４】
書き込みエラーが発生したとパソコン５が判断すると（Ｓ３２３；発生）、エラーフラッグを設定し（Ｓ３２４）、ステップ３２５に移行する。一方、書き込みエラーが未発生だとパソコン５が判断すると（Ｓ３２３；未発生）、ステップ３２５へ移行する。
パソコン５は、最終ドライブかを判断し（Ｓ３１５）、最終ドライブでないときには（Ｓ３２５；最終ドライブではない）、消去先ドライブを次のドライブに設定して（Ｓ３２６）、ステップ３２２に戻る。最終ドライブになるまで、パソコン５は、ステップ３２２〜ステップ３２６の処理を繰り返し実行する。
【００２５】
パソコン５は、最終ドライブだと判断すると（Ｓ３２５；最終ドライブ）、エラーフラッグを確認する（Ｓ３２７）。パソコン５は、エラーフラッグが設定されているときには（Ｓ３２７；設定）、エラー終了となる。また、パソコン５は、エラーフラッグが設定されていないと検出したときには（Ｓ３２７；未設定）、完全消去が終了したものとして正常終了とする（Ｓ３２９）。
【００２６】
なお、本発明の実施形態に係るハードディスク情報消去プログラムは、図８に示すように、ビューワー機能と、ログファイル保存機能と、プロテクト機能とを有している。ビューワー機能とは、消去作業完了後、図８（ａ），（ｂ）に示すように、ハードディスクのデータを表示させるものである。これにより、実際にデータが消去されていることが確認できる。ログファイル保存機能とは、消去結果をログファイルとしてフレキシブルディスクに保存できる機能である。プロテクト機能とは、不正しラヴを防ぐために、コピープロテクト、日付プロテクトや、実行回数を制限することができる機能である。
【００２７】
このハードディスク情報消去方法で使用されるハードディスク情報消去プログラムは、ハードディスクの先頭部分を完全消去するとともにデータ領域部分を部分消去できる部分消去プログラムと、ハードディスクの全領域を完全に消去できる完全消去プログラムと、完全消去プログラムをマスターブートレコード領域に格納するインストールプログラムと、これらプログラムの動作をコントロールする制御プログラムとから構成されている。
【００２８】
前記部分消去プログラムと、前記完全消去プログラムと、完全消去プログラムをマスターブートレコード領域に格納するインストールプログラムと、これらプログラムの動作をコントロールする制御プログラムとは、パソコン販売時に予めインストールしておき、特定の者（例えばリサイクル業者やメーカの技術者等）が特別な操作をすることにより、上記ハードディスク情報消去プログラムがパソコン５において実行されて、上記ハードディスク情報消去方法が実現されるようにしてもよい。
【００２９】
また、リサイクル業者等が実際にパソコン５を使用している場所（例えば会社や民家等）に出向いて、上記ハードディスク情報消去プログラムをパソコン５にインストールしてパソコン５に部分消去処理を実行させ、あるいは、パソコン使用者がリサイクル業者の窓口に運び込んだパソコン５に当該窓口においてハードディスク情報消去プログラムをインストールし、その窓口においてパソコン５に部分消去処理を実行させ、しかる後に、リサイクルセンターにパソコン５を運び込み、リサイクルセンターにおいて、パソコン５に完全消去処理を実行させるとともに、完全消去プログラム自身も消去する処理を実行させることにより、ハードディスク情報消去方法を実現するようにしてもよい。
【００３０】
このように動作をするので、本発明に係るハードディスク情報消去方法によれば、次のような効果がある。
（１）本発明では、ハードディスクの先頭部分を消去し、データ本体が保存されている領域を部分的に消去するようにしたので、非常に短い時間でハードディスクのデータを消去でき、パソコン設置場所での作業時間を短縮できる。
（２）本発明では、データ本体が保存されている所定の領域に一定間隔で部分的に意味のないデータを書き込んでいるため、データ復元ソフトでデータを復元しようとしても復元不可能であって、データの安全性を保つことができる。したがって、搬送中や紛失しても、データが流出することがない。
（３）本発明では、当初データ本体を消去するときに、まず、パソコン設置場所で消去プログラムをハードディスクの所定の領域にインストールするとともに、このプログラムを実行してデータ領域の所定の領域を荒く消去し、リサイクルセンターなどへパソコンを運び込み、パソコンの電源を入れると、その消去プログラムが実行されてデータ領域の全てを消去するので、作業効率が非常に高いという利点がある。
【図面の簡単な説明】
【００３１】
【図１】図１は、本発明の実施形態に係るハードディスク情報消去方法の概要を説明するための図である。
【図２】図２は、本発明の実施形態に係るハードディスク情報消去方法を説明するための図である。
【図３】図３は、本発明の実施形態に係るハードディスク情報消去方法の概要を説明するためのフローチャートである。
【図４】図４は、本発明の実施形態に係るハードディスク情報消去方法であって、パソコン設置場所でのパソコンの処理動作を説明するためのフローチャートである。
【図５】図５は、本発明の実施形態に係るハードディスク情報消去方法であって、パソコンをリサイクルセンターなどでのパソコンの処理動作を説明するためのフローチャートである。
【図６】図６は、本発明の実施形態に係るハードディスク情報消去方法であって、パソコンをリサイクルセンターなどでのパソコンの他の処理動作を説明するためのフローチャートである。
【図７】図７は、本発明の実施形態に係るハードディスク情報消去方法によりパソコン設置場所でパソコンのハードディスクが消去された状態を示す図である。
【図８】図８は、本発明の実施形態に係るハードディスク情報消去プログラムが提供できるサービスを示す図である。
【符号の説明】
【００３２】
１  ハードディスク情報消去方法
３  パソコン設置場所
５  パソコン
７  リサイクルセンター
９  フレキシブルディスク
【図１】
2008083948.tif 000003
【図２】
2008083948.tif 000004
【図３】
2008083948.tif 000005
【図４】
2008083948.tif 000006
【図５】
2008083948.tif 000007
【図６】
2008083948.tif 000008
【図７】
2008083948.tif 000009
【図８】
2008083948.tif 000010